(57)【要約】  洗浄組成物、より具体的には、衣服の洗濯に適し、毛髪及び皮膚上での使用にも適する濃縮された多目的洗浄組成物。多目的洗浄組成物の製造及び使用方法。【特許請求の範囲】
【請求項１】
多目的液体洗浄組成物であって、
ａ．前記洗浄組成物の重量で２０％〜５５％、好ましくは２３．５％〜４４％の
少なくとも１種の陰イオン性界面活性剤と、
ｂ．前記洗浄組成物の重量で５％〜３０％、好ましくは８％〜２５％の
少なくとも１種の非イオン性界面活性剤と、
ｃ．前記洗浄組成物の重量で０．５％〜８％、好ましくは２％〜４％の
少なくとも１種の有機酸であって、前記組成物中の各有機酸は炭素原子が９未満、好ましくは炭素原子が６以下である有機酸と、を含み、
前記洗浄組成物が、前記洗浄組成物の重量で２５％〜６０％、好ましくは
４０％〜５２％の界面活性剤を含み、
前記洗浄組成物が、２〜６．９、好ましくは２〜６．５、より好ましくは３〜５の無希釈ｐＨを有する、多目的液体洗浄組成物。
【請求項２】
前記有機酸のうちの少なくとも１種は、酢酸、ギ酸、乳酸、クエン酸、及びこれらの混合物からなる群から選択される、請求項１に記載の組成物。
【請求項３】
前記陰イオン性界面活性剤は、直鎖アルキルベンゼンスルホン酸を含む、請求項１〜２のいずれか一項に記載の組成物。
【請求項４】
前記非イオン性界面活性剤は、Ｃ１２〜Ｃ１８のアルキルエトキシレートを含む、請求項１〜３のいずれか一項に記載の組成物。
【請求項５】
前記Ｃ１２〜Ｃ１８のアルキルエトキシレートは、Ｃ１２，１４  ＥＯ９；Ｃ１２，１４  ＥＯ７；Ｃ１２，１４  ＥＯ５；Ｃ１２，１５  ＥＯ３；及びこれらの混合物。
【請求項６】
前記Ｃ１２〜Ｃ１８のアルキルエトキシレートは、モル比２．２：１で存在するＣ１２，１４  ＥＯ７及びＣ１２，１５  ＥＯ３の混合物である、請求項５に記載の組成物。
【請求項７】
前記組成物は、陰イオン性界面活性剤対非イオン性界面活性剤のモル比が１：１よりも大きく、好ましくは１．５：１〜５：１である、請求項１〜６のいずれか一項に記載の組成物。
【請求項８】
前記組成物は、粘度が、１ｓ−１及び２５．０℃において５００ｍＰａ＊ｓ〜１３，０００ｍＰａ＊ｓである、請求項１〜７のいずれか一項に記載の組成物。
【請求項９】
前記組成物はさらに、添加剤として、非織物直接染料、色相染料、漂白剤、キレート剤、ラジカルスカベンジャー、香料、蛍光増白剤、石鹸泡抑制剤、懸濁ポリマー、汚れ放出ポリマー、移染阻害剤、織物柔軟化添加剤、レオロジー変性剤、構造体、酵素、ビルダー、防腐剤、溶媒、粘土汚れ除去／再付着防止剤、及びこれらの混合物からなる群から選択されるものを含む、請求項１〜８のいずれか一項に記載の組成物。
【請求項１０】
表面を洗浄する方法であって、
前記表面を請求項１〜９のいずれか一項に記載の組成物と接触させる工程と、
前記表面を洗浄する工程と、を含む、方法。
【請求項１１】
前記組成物を希釈する工程を更に含む、請求項１０に記載の方法。
【請求項１２】
希釈された組成物であって、
請求項１〜１１のいずれか一項に記載の洗浄組成物の１部と、
最大で１０部の水と、を含む、組成物。
【請求項１３】
多目的液体洗浄組成物であって、実質的に、
ａ．前記組成物の重量で２１％〜５３％の陰イオン性界面活性剤であって、
アルキルベンゼンスルホン基酸及びその塩を含む陰イオン性界面活性剤と、
ｂ．前記組成物の重量で７％〜２５％の非イオン性界面活性剤であって、
Ｃ１２〜Ｃ１８のアルキルエトキシレートを含む非イオン性界面活性剤と、
ｃ．前記組成物の重量で１％〜６％の有機酸であって、
炭素が６以下である有機酸と、
ｄ．任意的に、香料と、
ｅ．任意的に、染料と、
ｆ．水と、からなり、
前記多目的液体洗浄組成物が、３〜５の無希釈ｐＨを有する、多目的液体洗浄組成物。
【発明の詳細な説明】
【技術分野】
【０００１】
本開示は概ね、洗浄組成物に関し、より具体的には、衣服並びに毛髪及び皮膚の洗浄に適した多目的洗浄組成物に関する。本開示はまた、組成物の製造及び使用方法に関する。
【背景技術】
【０００２】
多くの洗浄組成物が、消費者にとって衣類及び他の織物を従来の洗濯機内で洗浄する際に用いるように販売されている。しかし、世界の多くの地域で、特に平均の家計所得が２米国ドル／日と低く、及び／又は利用できる給水量が限られているところでは、従来の洗濯機は依然として負担しきれない高級品である。一部の国及び辺ぴな村では、例えば、衣料品は、典型的には、手によってバケツの中で、市販の洗濯用固形石鹸及び粉石鹸を用いて洗濯される。手で洗濯することは、衣料品を、例えば、洗濯板又は石を用いてこするか又はすり減らすことを伴う場合があり、洗濯用に用いる水は、並外れて硬いか又は汚染されている場合さえある。水が不足している場合には、多くの場合、衣料品の洗濯に使った同じ水をもう一度使って、１又は複数の家族構成員の皮膚及び毛髪を洗う。
【０００３】
典型的な消費者用の洗濯洗浄組成物は、皮膚及び毛髪上で用いるようには指示されていない。このような用途に適応された一般的なボディ・ソープ、シャンプー、及び他の洗面用品とは異なり、消費者用の洗濯洗浄組成物には通常、皮膚又は眼刺激性を生じさせる１又は複数の成分が含まれている。典型的な洗濯用粉石鹸及び固形石鹸の高ｐＨが、皮膚の発赤、炎症、及び水分損失の一因となっている。従来、高ｐＨ製品が洗濯で用いられている。なぜならば、高ｐＨであれば、従来のビルダー及び界面活性剤を使用できるからである。
【０００４】
したがって、優しくて、効果的で、かつ経済的な多目的洗浄組成物、例えば、生成物として、優れた洗濯洗浄が得られ、毛髪及び皮膚上で用いるのに十分に優しいものが求められている。
【０００５】
濃縮された洗浄組成物も望ましい。例えば、組成物の含水量を低くすると、出荷及び／又は貯蔵コストが下がる場合がある。より粘性のある洗浄組成物は、消費者に対して付加価値及び／又は洗浄能力を意味する場合もある。濃縮された洗浄組成物を、無希釈形態で用いる場合もあるし、又は製造業者、取扱業者、若しくは消費者が、使用前に希釈する場合もある。
【０００６】
しかし、濃縮された洗浄組成物はいくつかの問題を示す可能性がある。例えば、濃縮された洗浄組成物の活性成分は沈殿する場合がある。濃縮された組成物は相安定ではない場合があり、結果的に、成分の望ましくない分離が起こることがある。粘度が高いと、濃縮された組成物を処理すること又は用いることが難しくなる可能性がある。さらに、濃縮された組成物は、容易に希釈可能ではない場合があり、結果的に生成物を希釈して、粘土が望ましいものではなくなり及び／又は相安定ではなくなる。
【発明の概要】
【発明が解決しようとする課題】
【０００７】
要するに、容易に希釈可能な濃縮された多目的洗浄組成物が求められている。驚くべきことに以下のことが見出された。容易に希釈可能な濃縮された多目的洗浄組成物を低ｐＨ系で得ることが、ある界面活性剤をある濃度及び比率で選ぶことによってなされ得る。
【課題を解決するための手段】
【０００８】
本発明では、ニーズの１又は複数の解決を試みることを、いくつかの態様では、次のものを提供することによって行なう。濃縮された多目的液体洗浄組成物であって、洗浄組成物の重量で約２０％〜約５５％の少なくとも１種の陰イオン性界面活性剤と、洗浄組成物の重量で約５％〜約３０％の少なくとも１種の非イオン性界面活性剤と、洗浄組成物の重量で約０．５％〜約８％の少なくとも１種の有機酸であって、組成物中の各有機酸は炭素原子が９未満である有機酸と、を含み、洗浄組成物の重量で約２５％〜約６０％の全界面活性剤を含み、無希釈ｐＨが約２〜約６．９である多目的液体洗浄組成物。
【０００９】
他の態様では、本発明は、多目的液体洗浄組成物であって、実質的に、組成物の重量で約２１％〜約５３％の陰イオン性界面活性剤であって、アルキルベンゼンスルホン基酸及びその塩を含む陰イオン性界面活性剤と、組成物の重量で約７％〜約２５％の非イオン性界面活性剤であって、Ｃ１２〜Ｃ１８のアルキルエトキシレートを含む非イオン性界面活性剤と、組成物の重量で約１％〜約６％の有機酸であって、炭素が６以下である有機酸と、任意的に、香料と、任意的に、染料と、水と、からなり、無希釈ｐＨが約３〜約５である多目的液体洗浄組成物を提供する。
【００１０】
他の態様では、表面の洗浄方法であって、表面を本発明による洗浄組成物に接触させる工程と、表面を洗浄する工程と、を含む、方法が、本開示によって提供される。本方法はさらに、洗浄組成物を希釈する工程を含んでいてもよい。
【発明を実施するための形態】
【００１１】
本明細書で用いる場合、冠詞「ａ」及び「ａｎ」は、請求項で用いるときに、請求又は記載されたものの１又は複数を意味するものと理解される。
【００１２】
本明細書で使用するとき、用語「含む（include）」、「含む（includes）」及び「含んでいる（including）」は、限定することを意図しない。
【００１３】
本明細書で用いる場合、「低ｐＨ洗浄組成物」は、ｐＨが約７未満で約１よりも大きい洗浄組成物を指す。
【００１４】
本発明の組成物は、本開示の成分を含むことも、本質的に本開示の成分からなることも、又は本開示の成分からなることもできる。
【００１５】
特に断らない限り、割合はすべて、濃縮された洗浄組成物の重量による。
【００１６】
特に断らない限り、すべての成分又は組成物のレベルは、その成分又は組成物の活性部分を基準としており、不純物（例えば、残りの溶媒又は副生成物）は除く。不純物は、このような成分又は組成物の市販の供給源中に存在する場合がある。
【００１７】
当然のことながら、本明細書の全体を通して与えられるすべての最大の数値限定は、すべてのより低い数値限定を含んでおり、あたかも本明細書においてこのようなより低い数値限定が明示的に書かれていたかのようになっている。本明細書の全体を通して与えられるすべての最小の数値限定は、すべてのより高い数値限定を含んでおり、あたかも本明細書においてこのようなより高い数値限定が明示的に書かれていたかのようになっている。本明細書の全体を通して与えられるすべての数値範囲は、このようなより広い数値範囲内に含まれるすべてのより狭い数値範囲を含んでおり、あたかも本明細書においてこのようなより狭い数値範囲がすべて明示的に書かれていたかのようになっている。
【００１８】
多目的洗浄組成物
本開示は、濃縮された多目的洗浄組成物に関する。本明細書で開示される濃縮された多目的洗浄組成物は、概ね低ｐＨ組成物であり、織物、毛髪、及び／又は皮膚上で用いてもよい。洗浄組成物は界面活性剤及び有機酸を含んでいる。いくつかの態様では、組成物は、粘度が約５００ｍＰａ＊ｓ〜約１３，０００ｍＰａ＊ｓ（１ｓ−１において）である。この測定は、２５．０℃において、ＡＲ２０００粘度計（ＴＡ  Ｉｎｓｔｒｕｍｅｎｔｓ、Ｎｅｗ  Ｃａｓｔｌｅ、Ｄｅｌａｗａｒｅ）を用いて、アクリル製の６０ｍｍ、２°フラット・コーンを用いて行なう。粘度の測定を、当該技術分野で容易に知られている他の従来方法によって決定することもできる。
【００１９】
いくつかの態様では、本発明の洗浄組成物には、組成物の重量で、約３０％〜約６０％、又は約４０％〜約５５％、又は約４５％〜約５０％の水が含まれている。いくつかの態様では、洗浄組成物には、組成物の重量で約５５未満％、又は約５０未満％、又は約４０未満％、又は約２０未満％の水が含まれている。
【００２０】
本発明の洗浄組成物は、液体、ゲル、又はペースト形態であってもよい。いくつかの態様では、組成物は単位用量形態であり、組成物が水溶性フィルム又はパウチに封入されている。水溶性フィルム又はパウチには、ポリビニルアルコール、ポリ酢酸ビニル、又はこれらの混合物が含まれていてもよい。単位用量形態には、少なくとも２つの仕切り又は少なくとも３つの仕切りが含まれていてもよい。単位用量形態の少なくとも１つの仕切りを、別の仕切り上に重ね合わせてもよい。
【００２１】
洗浄組成物の成分、並びにその調製及び使用について、以下のように詳しく説明する。
【００２２】
界面活性剤
本明細書で説明する洗浄組成物には、洗浄組成物の重量で約２５％〜約６０％、又は約３５％〜５５％、又は約３９％〜約５３％、又は約３９％〜約４７％、又は約４０％〜約５２％の界面活性剤が含まれている。
【００２３】
界面活性剤の選択は、陰イオン性界面活性剤、非イオン性界面活性剤、両性界面活性剤、両性イオン界面活性剤、陽イオン性界面活性剤、又はこれらの混合物から選択されてもよい。いくつかの態様では、洗浄組成物に含まれる界面活性剤は、陰イオン性界面活性剤、非イオン性界面活性剤、又はこれらの混合物から選択される。
【００２４】
陰イオン性界面活性剤
組成物には少なくとも１種の陰イオン性界面活性剤が含まれていてもよい。いくつかの態様では、組成物には、洗浄組成物の重量で、約２０％〜約５５％、又は約２１％〜約５３％、又は約２３％〜約５０％、又は約２３．５％〜約４４％、又は約２４％〜約３５％の少なくとも１種の陰イオン性界面活性剤が含まれている。当然のことながら、本明細書で説明した陰イオン性界面活性剤の酸形態の中和を、適切なアルカリ化剤（例えば、水酸化ナトリウム又はモノエタノールアミン）を用いて行なってもよい。本明細書で用いる場合、陰イオン性界面活性剤は酸形態及び／又は塩形態で存在してもよい。
【００２５】
好適な陰イオン性界面活性剤の非限定的な例としては、アルキルベンゼンスルホン基酸及びその塩が挙げられる。いくつかの態様では、陰イオン性界面活性剤は、直鎖アルキルベンゼンスルホン酸を含むか、又は直鎖アルキルベンゼンスルホン酸からなりさえする。いくつかの態様では、組成物は実質的に、アルキルサルフェート界面活性剤、アルキルアルコキシル化サルフェート界面活性剤、及びこれらの混合物がない。
【００２６】
典型的な陰イオン性界面活性剤は、Ｃ１０〜Ｃ１６のアルキルベンゼンスルホン基酸、又はＣ１１〜Ｃ１４のアルキルベンゼンスルホン基酸、及びこれらの対応するアルカリ金属塩である。いくつかの態様では、アルキル基は直鎖である。このような直鎖アルキルベンゼンスルホネートは「ＬＡＳ」として知られている。アルキルベンゼンスルホネート（特にＬＡＳ）は、当該技術分野においてよく知られている。このような界面活性剤及びその調製の説明が、例えば、米国特許第第２，２２０，０９９号及び第２，４７７，３８３号になされている。特に有用なのは、ナトリウム及びカリウム線状直鎖アルキルベンゼンスルホネート（アルキル基内の平均炭素原子数が約１１〜１４）である。ナトリウムＣ１１〜Ｃ１４、例えば、Ｃ１２、ＬＡＳは、このような界面活性剤の具体例である。いくつかの態様では、直鎖アルキルベンゼンスルホン酸はＣ１１．８直鎖アルキルベンゼンスルホン酸である。
【００２７】
また有用な陰イオン性界面活性剤には、有機硫黄反応生成物（その分子構造中に、アルキル基（約１０〜約２０の炭素原子を含む）及びスルホン酸基を有する）の水溶性塩、特にアルカリ金属、アンモニウム及びアルキロールアンモニウム（例えば、モノエタノールアンモニウム又はトリエタノールアンモニウム）塩が含まれる。（用語「アルキル」に含まれるのは、アリール基のアルキル部分である）。本明細書において有用な他の陰イオン性界面活性剤は以下のものの水溶性塩である。パラフィンスルホネート及び二級アルカンスルホネート（約８〜約２４（好ましくは約１２〜１８）の炭素原子を含む）；アルキルグリセリルエーテルスルホネート、特にＣ８〜１８アルコールのエーテル（例えば、タロー及びココナッツ油から得られるもの）。
【００２８】
アルキルベンゼンスルホネートと、上記のパラフィンスルホネート、二級アルカンスルホネート、及びアルキルグリセリルエーテルスルホネートと、の混合物も有用である。
【００２９】
アルキルベンゼンスルホン基酸が好ましいが、いくつかの態様では、別の典型的なタイプの陰イオン性界面活性剤には、エトキシル化アルキルサルフェート界面活性剤が含まれる。このような材料は、アルキルエーテルサルフェート（ＡＥＳ）又はアルキルポリエトキシレートサルフェートとしても知られているが、次式に対応するものである。Ｒ’−Ｏ−（Ｃ２Ｈ４Ｏ）ｎ−ＳＯ３Ｍ。式中、Ｒ’はＣ８〜Ｃ２０アルキル基であり、ｎは約１〜２０であり、Ｍは塩生成陽イオンである。特定の実施形態では、Ｒ’はＣ１０〜Ｃ１８アルキルであり、ｎは約１〜１５であり、及びＭはナトリウム、カリウム、アンモニウム、アルキルアンモニウム、又はアルカノールアンモニウムである。より具体的な実施形態では、Ｒ’はＣ１２〜Ｃ１６であり、ｎは約１〜６であり、及びＭはナトリウムである。
【００３０】
アルキルエーテルサルフェートは概ね、種々のＲ’鎖長及び種々のエトキシル化度を含む混合物の形態で用いる。多くの場合、このような混合物には必然的に、いくつかの非エトキシル化アルキルサルフェート（ＡＳ）材料、すなわち上述のエトキシル化アルキルサルフェート式でｎ＝０の界面活性剤も含まれる。また非エトキシル化アルキルサルフェートを、本発明の組成物に別個に添加してもよく、また存在し得る任意の陰イオン性界面活性剤成分として又はその中で用いてもよい。非アルコキシル化（例えば、非エトキシル化）アルキルサルフェート界面活性剤の具体例は、より高次のＣ８〜Ｃ２０脂肪族アルコールを硫酸化することによって生成されるものである。従来の第１級アルキルサルフェート界面活性剤は、一般式：ＲＯＳＯ３−Ｍ＋を有する。式中、Ｒは、典型的には、Ｃ８〜Ｃ２０アルキル基（直鎖又は分枝鎖であってもよい）であり、Ｍは水溶性化カチオンである。特定の実施形態では、ＲはＣ１０〜Ｃ１５アルキル基であり、Ｍはアルカリ金属であり、より具体的には、ＲはＣ１２〜Ｃ１４アルキルであり、Ｍはナトリウムである。
【００３１】
いくつかの態様では、陰イオン性界面活性剤は分枝状界面活性剤であってもよい。好適な分枝状洗浄性界面活性剤には、以下のものから選択される陰イオン性分枝状界面活性剤が含まれる。分枝状サルフェート又は分枝状スルホン酸界面活性剤、例えば、分枝状アルキルサルフェート、分枝状アルキルアルコキシル化サルフェート、及び分枝状アルキルベンゼンスルホン酸塩（１又は複数のランダム・アルキル分枝、例えば、Ｃ１〜４のアルキル基、典型的には、メチル及び／又はエチル基を含む）。
【００３２】
いくつかの態様では、分枝状洗浄性界面活性剤は中鎖分枝状洗浄性界面活性剤、典型的には、中鎖分枝状アニオン性洗浄性界面活性剤、例えば、中鎖分枝状アルキルサルフェート、及び／又は中鎖分枝状アルキルベンゼンスルホン酸塩である。いくつかの態様では、洗浄性界面活性剤は中鎖分枝状アルキルサルフェートである。いくつかの態様では、中鎖分枝は、Ｃ１〜４アルキル基、典型的には、メチル及び／又はエチル基である。
【００３３】
いくつかの態様では、分枝状界面活性剤には、次式のより長いアルキル鎖、中鎖分枝状界面活性剤化合物が含まれる。
Ａｂ−Ｘ−Ｂ
式中、
（ａ）Ａｂは、疎水性Ｃ９〜Ｃ２２（部分内の全炭素）（典型的には、約Ｃ１２〜約Ｃ１８）の中鎖分枝状アルキル部分であり、以下を有する。（１）８〜２１の範囲の炭素原子内の−Ｘ−Ｂ部分に結合した最長の直鎖炭素鎖；（２）この最長の直鎖炭素鎖から分枝する１又は複数のＣ１〜Ｃ３のアルキル部分；（３）分枝アルキル部分のうちの少なくとも１つは、最長の直鎖炭素鎖の炭素のうち、位置２の炭素（−Ｘ−Ｂ部分に結合した炭素＃１から数える）〜位置−２の炭素（末端炭素マイナス２つの炭素、すなわち、最長の直鎖炭素鎖の端部から３番目の炭素）の範囲内の位置にある炭素に直接結合している；及び（４）界面活性剤組成物は、上式のＡｂ−Ｘ部分における炭素原子の平均総数が、１４．５超〜約１７．５（典型的には、約１５〜約１７）の範囲である；
ｂ）Ｂは以下のものから選択される親水性部分である。サルフェート、スルホネート、アミンオキシド、ポリオキシアルキレン（例えば、ポリオキシエチレン及びポリオキシプロピレン）、アルコキシル化サルフェート、ポリヒドロキシ部分、リン酸エステル、グリセロールスルホネート、ポリグルコネート、ポリリン酸エステル、ホスホネート、スルホサクシネート、スルホサッカミネート、ポリアルコキシル化カルボキシレート、グルカミド、タウリネート、サルコシネート、グリシネート、イセチオネート、ジアルカノールアミド、モノアルカノールアミド、モノアルカノールアミドサルフェート、ジグリコールアミド、ジグリコールアミドサルフェート、グリセロールエステル、グリセロールエステルサルフェート、グリセロールエーテル、グリセロールエーテルサルフェート、ポリグリセロールエーテル、ポリグリセロールエーテルサルフェート、ソルビタンエステル、ポリアルコキシル化ソルビタンエステル、アンモニオアルカンスルホネート、アミドプロピルベタイン、アルキル化クウォット、アルキル化／ポリヒドロキシアルキル化クウォット、アルキル化／ポリヒドロキシル化オキシプロピルクウォット、イミダゾリン、２−イル−スクシネート、スルホン化アルキルエステル、及びスルホン化脂肪酸（複数の疎水部分がＢに結合して（例えば、（Ａｂ−Ｘ）ｚ−Ｂの場合のように）ジメチルクウォットを与える場合があることに注意されたい）；及び
（ｃ）Ｘは−ＣＨ２−及び−Ｃ（Ｏ）−から選択される。
【００３４】
一般的に、上式では、Ａｂ部分には、わずかな四級置換炭素原子（すなわち、４つの炭素原子が１つの炭素原子に直接結合している）もない。どの親水性部分（Ｂ）を選択するかに応じて、結果として得られる界面活性剤は、陰イオン性、非イオン性、陽イオン性、双性イオン性、両性（amphoteric）、又は両性（ampholytic）となる場合がある。いくつかの態様では、Ｂはサルフェートであり、結果として得られる界面活性剤は陰イオン性である。
【００３５】
いくつかの態様では、分枝状界面活性剤には、上式のより長いアルキル鎖、中鎖分枝状界面活性剤化合物が含まれる。式中、Ａｂ部分は、次式を有する分枝状一級アルキル部分である。
【００３６】
【化１】
2016521774.tif 000002
式中、この式の分枝状一級アルキル部分（例えば、Ｒ、Ｒ１、及びＲ２分枝）における炭素原子の総数は１３〜１９である；Ｒ、Ｒ１、及びＲ２はそれぞれ、水素及びＣ１〜Ｃ３のアルキル（典型的には、メチル）から独立に選択され（もし、Ｒ、Ｒ１、及びＲ２がすべて水素というわけではなく、またｚが０のときに少なくともＲ又はＲ１が水素でない場合）；ｗは整数０〜１３であり；ｘは整数０〜１３であり；ｙは整数０〜１３であり；ｚは整数０〜１３であり；及びｗ＋ｘ＋ｙ＋ｚは７〜１３である。
【００３７】
ある態様では、分枝状界面活性剤には、上式のより長いアルキル鎖、中鎖分枝状界面活性剤化合物が含まれ、Ａｂ部分は、以下から選択される式を有する分枝状一級アルキル部分である。
【００３８】
【化２】
2016521774.tif 000003
又はこれらの混合物。式中、ａ、ｂ、ｄ、及びｅは整数であり、ａ＋ｂは１０〜１６であり、ｄ＋ｅは８〜１４であり、さらに、
ａ＋ｂ＝１０のときに、ａは整数２〜９であり、ｂは整数１〜８である。
ａ＋ｂ＝１１のときに、ａは整数２〜１０であり、ｂは整数１〜９である。
ａ＋ｂ＝１２のときに、ａは整数２〜１１であり、ｂは整数１〜１０である。
ａ＋ｂ＝１３のときに、ａは整数２〜１２であり、ｂは整数１〜１１である。
ａ＋ｂ＝１４のときに、ａは整数２〜１３であり、ｂは整数１〜１２である。
ａ＋ｂ＝１５のときに、ａは整数２〜１４であり、ｂは整数１〜１３である。
ａ＋ｂ＝１６のときに、ａは整数２〜１５であり、ｂは整数１〜１４である。
ｄ＋ｅ＝８のときに、ｄは整数２〜７であり、ｅは整数１〜６である。
ｄ＋ｅ＝９のときに、ｄは整数２〜８であり、ｅは整数１〜７である。
ｄ＋ｅ＝１０のときに、ｄは整数２〜９であり、ｅは整数１〜８である。
ｄ＋ｅ＝１１のときに、ｄは整数２〜１０であり、ｅは整数１〜９である。
ｄ＋ｅ＝１２のときに、ｄは整数２〜１１であり、ｅは整数１〜１０である。
ｄ＋ｅ＝１３のときに、ｄは整数２〜１２であり、ｅは整数１〜１１である。
ｄ＋ｅ＝１４のときに、ｄは整数２〜１３であり、ｅは整数１〜１２である。
【００３９】
前述した中鎖分枝状界面活性剤化合物では、ある分枝点（例えば、上式におけるＲ、Ｒ１、及び／又はＲ２部分の鎖に沿った箇所）が、界面活性剤の主鎖に沿った他の分枝点よりも好ましい。以下の式に例示するのは、モノメチル分枝状アルキルＡｂ部分に対する中鎖分枝範囲（すなわち、分枝点が発生する箇所）、好ましい中鎖分枝範囲、及びより好ましい中鎖分枝範囲である。
【００４０】
【化３】
2016521774.tif 000004
【００４１】
モノメチル置換界面活性剤の場合、これらの範囲には、鎖の２つの末端炭素原子及び−Ｘ−Ｂ基に直接隣接する炭素原子は含めない。
【００４２】
以下の式に例示するのは、ジメチル置換アルキルＡｂ部分に対する中鎖分枝範囲、好ましい中鎖分枝範囲、及びより好ましい中鎖分枝範囲である。
【００４３】
【化４】
2016521774.tif 000005
【００４４】
さらなる好適な分枝状界面活性剤が以下の文献に開示されている。ＵＳ  ６００８１８１、ＵＳ  ６０６０４４３、ＵＳ  ６０２０３０３、ＵＳ  ６１５３５７７、ＵＳ  ６０９３８５６、ＵＳ  ６０１５７８１、ＵＳ  ６１３３２２２、ＵＳ  ６３２６３４８、ＵＳ  ６４８２７８９、ＵＳ  ６６７７２８９、ＵＳ  ６９０３０５９、ＵＳ  ６６６０７１１、ＵＳ  ６３３５３１２、及びＷＯ  ９９１８９２９。さらに他の好適な分枝状界面活性剤には、ＷＯ９７３８９５６、ＷＯ９７３８９５７、及びＷＯ０１０２４５１に記載されるものが含まれる。
【００４５】
いくつかの態様では、分枝状陰イオン性界面活性剤には分枝状変性アルキルベンゼンスルホン酸塩（ＭＬＡＳ）が含まれる。これは以下の文献に記載されている。ＷＯ  ９９／０５２４３、ＷＯ  ９９／０５２４２、ＷＯ  ９９／０５２４４、ＷＯ  ９９／０５０８２、ＷＯ  ９９／０５０８４、ＷＯ  ９９／０５２４１、ＷＯ  ９９／０７６５６、ＷＯ  ００／２３５４９、及びＷＯ  ００／２３５４８。
【００４６】
いくつかの態様では、分枝状陰イオン性界面活性剤には、メチル分枝が疎水性鎖に沿ってランダムに分配されたＣ１２／１３アルコール系界面活性剤、例えば、Ｓａｆｏｌ（登録商標）、Ｍａｒｌｉｐａｌ（登録商標）（Ｓａｓｏｌから販売）が含まれる。
【００４７】
さらなる好適な分枝状陰イオン性洗浄性界面活性剤には、２−アルキル位置で分枝するアルコールから得られる界面活性剤が含まれる。例えば、商品名Ｉｓａｌｃｈｅｍ（登録商標）１２３、Ｉｓａｌｃｈｅｍ（登録商標）１２５、Ｉｓａｌｃｈｅｍ（登録商標）１４５、Ｉｓａｌｃｈｅｍ（登録商標）１６７で販売されるものである。これらはオクソ処理から得られる。オクソ処理に起因して、分枝は２−アルキル位置に位置する。これらの２−アルキル分枝状アルコールは、典型的には、Ｃ１１〜Ｃ１４／Ｃ１５の範囲の長さであり、２−アルキル位置ですべて分枝する構造異性体が含まれる。これらの分枝状アルコール及び界面活性剤は、ＵＳ２０１１００３３４１３に記載されている。
【００４８】
他の好適な分枝状界面活性剤には、以下の文献に開示されるものが含まれる。ＵＳ６０３７３１３（Ｐ＆Ｇ）、ＷＯ９５２１２３３（Ｐ＆Ｇ）、ＵＳ３４８０５５６（Ａｔｌａｎｔｉｃ  Ｒｉｃｈｆｉｅｌｄ）、ＵＳ６６８３２２４（Ｃｏｇｎｉｓ）、ＵＳ２００３０２２５３０４Ａ１（Ｋａｏ）、ＵＳ２００４２３６１５８Ａ１（Ｒ＆Ｈ）、ＵＳ６８１８７００（Ａｔｏｆｉｎａ）、ＵＳ２００４１５４６４０（Ｓｍｉｔｈら）、ＥＰ１２８０７４６（Ｓｈｅｌｌ）、ＥＰ１０２５８３９（Ｌ’Ｏｒｅａｌ）、ＵＳ６７６５１１９（ＢＡＳＦ）、ＥＰ１０８００８４（Ｄｏｗ）、ＵＳ６７２３８６７（Ｃｏｇｎｉｓ）、ＥＰ１４０１７９２Ａ１（Ｓｈｅｌｌ）、ＥＰ１４０１７９７Ａ２（Ｄｅｇｕｓｓａ  ＡＧ）、ＵＳ２００４０４８７６６（Ｒａｔｈｓら）、ＵＳ６５９６６７５（Ｌ’Ｏｒｅａｌ）、ＥＰ１１３６４７１（Ｋａｏ）、ＥＰ９６１７６５（Ａｌｂｅｍａｒｌｅ）、ＵＳ６５８０００９（ＢＡＳＦ）、ＵＳ２００３１０５３５２（Ｄａｄｏら）、ＵＳ６５７３３４５（Ｃｒｙｏｖａｃ）、ＤＥ１０１５５５２０（ＢＡＳＦ）、ＵＳ６５３４６９１（ｄｕ  Ｐｏｎｔ）、ＵＳ６４０７２７９（ＥｘｘｏｎＭｏｂｉｌ）、ＵＳ５８３１１３４（Ｐｅｒｏｘｉｄ−Ｃｈｅｍｉｅ）、ＵＳ５８１１６１７（Ａｍｏｃｏ）、ＵＳ５４６３１４３（Ｓｈｅｌｌ）、ＵＳ５３０４６７５（Ｍｏｂｉｌ）、ＵＳ５２２７５４４（ＢＡＳＦ）、ＵＳ５４４６２１３Ａ。（ＭＩＴＳＵＢＩＳＨＩ  ＫＡＳＥＩ  ＣＯＲＰＯＲＡＴＩＯＮ）、ＥＰ１２３０２００Ａ２（ＢＡＳＦ）、ＥＰ１１５９２３７Ｂ１（ＢＡＳＦ）、ＵＳ２００４０００６２５０Ａ１（ＮＯＮＥ）、ＥＰ１２３０２００Ｂ１（ＢＡＳＦ）、ＷＯ２００４０１４８２６Ａ１（Ｓｈｅｌｌ）、ＵＳ６７０３５３５Ｂ２（ＣＨＥＶＲＯＮ）、ＥＰ１１４０７４１Ｂ１（ＢＡＳＦ）、ＷＯ２００３０９５４０２Ａ１（ＯＸＥＮＯ）、ＵＳ６７６５１０６Ｂ２（Ｓｈｅｌｌ）、ＵＳ２００４０１６７３５５Ａ１（ＮＯＮＥ）、ＵＳ６７０００２７Ｂ１（ＣＨＥＶＲＯＮ）、ＵＳ２００４０２４２９４６Ａ１（ＮＯＮＥ）、ＷＯ２００５０３７７５１Ａ２（Ｓｈｅｌｌ）、ＷＯ２００５０３７７５２Ａ１（Ｓｈｅｌｌ）、ＵＳ６９０６２３０Ｂ１（ＢＡＳＦ）、ＷＯ２００５０３７７４７Ａ２（Ｓｈｅｌｌ  ＯＩＬ  ＣＯＭＰＡＮＹ）。
【００４９】
さらなる好適な分枝状陰イオン性洗浄性界面活性剤には、イソプレノイド系多分枝性洗剤アルコールの界面活性剤誘導体が含まれる。これはＵＳ  ２０１０／０１３７６４９に記載されている。またイソプレノイド系界面活性剤及びイソプレノイド誘導体は、本の名称「Ｃｏｍｐｒｅｈｅｎｓｉｖｅ  Ｎａｔｕｒａｌ  Ｐｒｏｄｕｃｔｓ  Ｃｈｅｍｉｓｔｒｙ：Ｉｓｏｐｒｅｎｏｉｄｓ  Ｉｎｃｌｕｄｉｎｇ  Ｃａｒｏｔｅｎｏｉｄｓ  ａｎｄ  Ｓｔｅｒｏｉｄｓ（第２巻）」、Ｂａｒｔｏｎ及びＮａｋａｎｉｓｈｉ、（著作権）１９９９、Ｅｌｓｅｖｉｅｒ  Ｓｃｉｅｎｃｅ  Ｌｔｄに記載され、構造Ｅに含まれ、本明細書において参照により取り入れられている。
【００５０】
さらなる好適な分枝状陰イオン性洗浄性界面活性剤には、アンテイソ−及びイソ−アルコールから得られるものが含まれる。このような界面活性剤は、ＷＯ２０１２００９５２５に開示されている。
【００５１】
さらなる好適な分枝状陰イオン性洗浄性界面活性剤には、米国特許出願第２０１１／０１７１１５５Ａ１号及び第２０１１／０１６６３７０Ａ１号に記載されるものが含まれる。
【００５２】
また好適な分枝状陰イオン性界面活性剤には、Ｇｕｅｒｂｅｔアルコール系界面活性剤が含まれる。Ｇｕｅｒｂｅｔアルコールは分枝状の一級単官能アルコールであり、２つの直鎖炭素鎖を有し、分枝点は常に第２の炭素位置にある。Ｇｕｅｒｂｅｔアルコールは化学的に記述すると、２−アルキル−１−アルカノールである。Ｇｕｅｒｂｅｔアルコールは概ね、１２炭素原子〜３６炭素原子を有する。Ｇｕｅｒｂｅｔアルコールは以下の式で表わしてもよい。（Ｒ１）（Ｒ２）ＣＨＣＨ２ＯＨ。式中、Ｒ１は直鎖アルキル基であり、Ｒ２は直鎖アルキル基であり、Ｒ１及びＲ２における炭素原子の和は１０〜３４であり、Ｒ１及びＲ２は両方とも存在している。Ｇｕｅｒｂｅｔアルコールは、ＳａｓｏｌからＩｓｏｆｏｌ（登録商標）アルコールとして、及びコグニスからＧｕｅｒｂｅｔｏｌとして販売されている。
【００５３】
本明細書で開示した界面活性剤システムには、前述した分枝状界面活性剤のいずれかが別個に含まれていてもよいし、又は界面活性剤システムには、前述した分枝状界面活性剤の混合物が含まれていてもよい。さらに、前述した分枝状界面活性剤はそれぞれ、バイオ・ベースの中身を含んでいてもよい。いくつかの態様では、分枝状界面活性剤は、バイオ・ベースの中身が、少なくとも約５０％、少なくとも約６０％、少なくとも約７０％、少なくとも約８０％、少なくとも約９０％、少なくとも約９５％、少なくとも約９７％、又は約１００％である。
【００５４】
非イオン性界面活性剤
組成物には、少なくとも１種の非イオン性界面活性剤が含まれていてもよい。いくつかの態様では、組成物には、洗浄組成物の重量で、約５％〜約３０％、又は約７％〜約２５％、又は約８％〜約２５％、又は約１２％〜約２２％の非イオン性界面活性剤が含まれる。好適な非イオン性界面活性剤には、従来の非イオン性界面活性剤タイプ（典型的には、液体又はゲル洗浄製品で用いられる）のいずれもが含まれる。これらには、アルコキシル化脂肪族アルコール及びアミンオキシド界面活性剤が含まれる。
【００５５】
いくつかの態様では、非イオン性界面活性剤には、アルコールアルコキシル化非イオン性界面活性剤、例えば、エトキシル化非イオン性界面活性剤が含まれる。これらの材料の説明が、例えば、米国特許第第４，２８５，８４１号（Ｂａｒｒａｔら、１９８１年８月２５日に付与）になされている。非イオン性界面活性剤は、式Ｒ（ＯＣ２Ｈ４）ｎＯＨのエトキシル化アルコール及びエトキシル化アルキルフェノールから選択することができる。式中、Ｒは、脂肪族炭化水素ラジカル（約８〜約１８の炭素原子を含む）及びアルキルフェニルラジカル（アルキル基は約８〜約１２の炭素原子を含む）からなる群から選択され、ｎの平均値は約１〜約１５である。これらの界面活性剤は、アルコキシル化脂肪族アルコールとしても知られているが、より十分な説明が、例えば、米国特許第第４，２８４，５３２号（Ｌｅｉｋｈｉｍら、１９８１年８月１８日に付与）になされている。いくつかの態様では、非イオン性界面活性剤が選択されるエトキシル化アルコールは、平均として約１０〜約１８の炭素原子をアルコール中に有し、平均のエトキシル化度がアルコールのモル当たり約３〜約１２モルのエチレンオキシドである。
【００５６】
いくつかの態様では、非イオン性界面活性剤にはＣ１２〜Ｃ１８のアルキルエトキシレートが含まれる。アルキルエトキシレートを命名する略称法は、アルキル鎖内のその炭素数及びそのエトキシレート（ＥＯ）基の平均数を参照している。例えば、アルキルエトキシレートであって、そのアルキル鎖に１２〜１４の炭素原子を有し、平均として９つのエトキシレート基を有するものを、「Ｃ１２，１４  ＥＯ９」と書くことができる。いくつかの態様では、Ｃ１２〜Ｃ１８のアルキルエトキシレートは以下のものからなる群から選択される。Ｃ１２，１４  ＥＯ９；Ｃ１２，１４  ＥＯ７；Ｃ１２，１４  ＥＯ５；Ｃ１２，１５  ＥＯ３；及びこれらの混合物。いくつかの態様では、Ｃ１２〜Ｃ１８のアルキルエトキシレートにはＣ１２，１４  ＥＯ７、及びＣ１２，１５  ＥＯ３の混合物が含まれ、いくつかの態様では、Ｃ１２，１４  ＥＯ７対Ｃ１２，１５  ＥＯ３のモル比は約２．２：１である。いくつかの態様では、非イオン性界面活性剤には以下のものが含まれる。Ｃ１２，１３  ＥＯ１；Ｃ１２，１３  ＥＯ１．５；Ｃ１２，１３  ＥＯ２；Ｃ１２，１３  ＥＯ３；又はこれらの混合物。いくつかの態様では、非イオン性界面活性剤には以下のものが含まれる。Ｃ９，１１  ＥＯ５；Ｃ１１，１６  ＥＯ７；Ｃ１２，１３  ＥＯ５；Ｃ１２，１３  ＥＯ６．５；Ｃ１２，１３  ＥＯ８；Ｃ１２，１３  ＥＯ９；Ｃ１２，１４  ＥＯ７；Ｃ１２，１４  ＥＯ８；Ｃ１２，１４  ＥＯ９；Ｃ１４，１５  ＥＯ５；Ｃ１４，１５  ＥＯ７；Ｃ１４，１５  ＥＯ８；Ｃ１１  ＥＯ９；Ｃ１２，１４  ＥＯ９；Ｃ１２，１５  ＥＯ７；Ｃ１２，１５  ＥＯ１０；Ｃ１４，１５  ＥＯ８；Ｃ１４，１５  ＥＯ９；Ｃ１４，１８  ＥＯ９；Ｃ１０  ＥＯ３；Ｃ１０  ＥＯ６；Ｃ１２  ＥＯ３；Ｃ１２  ＥＯ６；Ｃ１２  ＥＯ９；又はこれらの混合物。
【００５７】
いくつかの態様では、アルコキシル化脂肪族アルコール材料は、親水性親油性バランス（ＨＬＢ）が約３〜約１７の範囲である。ある態様では、ＨＬＢの範囲は約６〜１５、あるいは約８〜約１５である。アルコキシル化脂肪族アルコール非イオン性界面活性剤は、商品名Ｎｅｏｄｏｌ及びＤｏｂａｎｏｌで、Ｓｈｅｌｌ  Ｃｈｅｍｉｃａｌ  Ｃｏｍｐａｎｙから販売されている。
【００５８】
また非イオン性界面活性剤にはアミンオキシドが含まれていてもよい。アミンオキシドは、当該技術分野において「半極性」非イオン性物質と言われることが多い材料である。アミンオキシド類は次の式を有する。Ｒ（ＥＯ）ｘ（ＰＯ）ｙ（ＢＯ）ｚＮ（Ｏ）（ＣＨ２Ｒ’）２．ｑＨ２Ｏ。この式では、Ｒは、比較的長鎖のヒドロカルビル部分であって、飽和又は不飽和、直鎖又は分枝鎖にすることができ、８〜２０の炭素原子若しくは１０〜１６の炭素原子を含むことができるか、又はあるいはＣ１２〜Ｃ１６の一級アルキルであるヒドロカルビル部分である。Ｒ’は短鎖部分であり、水素、メチル、及び−ＣＨ２ＯＨから選択してもよい。ｘ＋ｙ＋ｚが０とは異なるときは、ＥＯはエチレンオキシであり、ＰＯはプロピレンオキシであり、ＢＯはブチレンオキシである。アミンオキシド界面活性剤は、Ｃ１２〜１４アルキルジメチルアミンオキシドによって例示される。
【００５９】
本明細書で有用な非イオン性界面活性剤の非限定の例としては、以下のものが挙げられる。ａ）Ｃ１２〜Ｃ１８アルキルエトキシレート、例えば、ＮＥＯＤＯＬ（登録商標）非イオン性界面活性剤（Ｓｈｅｌｌより）；ｂ）Ｃ６〜Ｃ１２アルキルフェノールアルコキシレート（アルコキシレート単位はエチレンオキシ及びプロピレンオキシ単位の混合物である）；ｃ）Ｃ１２〜Ｃ１８アルコール及びＣ６〜Ｃ１２アルキルフェノール縮合体であって、エチレンオキシド／プロピレンオキシドブロックポリマー、例えば、Ｐｌｕｒｏｎｉｃ（登録商標）（ＢＡＳＦより）を伴うもの；ｄ）Ｃ１４〜Ｃ２２中鎖分枝状アルコール、ＢＡ（ＵＳ６，１５０，３２２に記載）；ｅ）Ｃ１４〜Ｃ２２中鎖分枝状アルキルアルコキシレート、ＢＡＥｘ、ｘは１〜３０（ＵＳ  ６，１５３，５７７、ＵＳ  ６，０２０，３０３、及びＵＳ  ６，０９３，８５６に記載）；ｆ）アルキルポリサッカリド（Ｕ．Ｓ．４，５６５，６４７（Ｌｌｅｎａｄｏ）、１９８６年１月２６日に付与）に記載；具体的にはアルキルポリグリコシド（ＵＳ  ４，４８３，７８０及びＵＳ  ４，４８３，７７９に記載）；ｇ）ポリヒドロキシ脂肪酸アミド（ＵＳ  ５，３３２，５２８、ＷＯ  ９２／０６１６２、ＷＯ  ９３／１９１４６、ＷＯ  ９３／１９０３８、及びＷＯ  ９４／０９０９９に記載）；及びｈ）エーテルで末端処理されたポリ（オキシアルキル化）アルコール界面活性剤（ＵＳ  ６，４８２，９９４及びＷＯ  ０１／４２４０８に記載）。
【００６０】
陰イオン性／非イオン性組み合わせ
高濃度での中和されたＬＡＳは疎水性である可能性があり、溶液から沈殿する場合がある。高ＨＬＢを有する非イオン性界面活性剤（「ＮＩ」）を添加すると、溶液から沈殿しない界面活性剤相が生じる一因となる場合がある。しかし、いくつかの態様では、添加する非イオン性界面活性剤が多すぎると、組成物が相安定ではないことがある。したがって、ＬＡＳ：ＮＩのモル比を調整して、濃縮された相安定な洗浄組成物を生成することができる。
【００６１】
いくつかの態様では、本発明の多目的洗浄組成物には、陰イオン性及び非イオン性界面活性剤のモル比での組み合わせが含まれる。陰イオン性界面活性剤対非イオン性界面活性剤のモル比は、直鎖アルキルベンゼンスルホン酸対Ｃ１２〜１８アルキルエトキシレートのモル比であってもよい。典型的には、陰イオン性界面活性剤対非イオン性界面活性剤のモル比は、約１：１よりも大きい。いくつかの態様では、陰イオン性界面活性剤対非イオン性界面活性剤のモル比は、約１．５：１〜約５：１、又は約１．８：１〜約４．９：１、又は約２．５：１〜約３．５：１、又は約２．８：１である。いくつかの態様では、陰イオン性界面活性剤対非イオン性界面活性剤のモル比は、約２．２：１である。
【００６２】
さらに、アルキルエトキシレート非イオン性界面活性剤が多目的洗浄組成物中に存在することによって、陰イオン性界面活性剤に一般的に付随する刺激性を減らすことができると考えられる。この刺激性の減少は、本明細書で説明した洗浄組成物の多目的使用（例えば、シャンプー及び洗濯）の点で、特に好都合になる。任意の特定の多目的洗浄組成物の眼刺激性の量の定量化を、当業者によく知られた標準的な目刺激性試験方法を用いて行なうことができる。例えば、を参照。結果として得られる眼刺激性用量を次に、多目的洗浄組成物を他の製品（例えば、市場シャンプー製品）と比べるための基礎として用いることができる。典型的な標準試験では、眼刺激性の判定は、試験細胞（例えば、眼球細胞）のバッチを洗浄組成物にさらし、実験作業を通して、試験細胞の代謝率が半分に減ったときの洗浄組成物の用量を（ｍｇ／ｍＬなどの単位で）測定することによって行なう。こうして、用量値が大きいほど、洗浄組成物の目に対する刺激性が小さい。市場シャンプー製品は、典型的には、眼刺激性用量が少なくとも０．５ｍｇ／ｍＬ、あるいは少なくとも０．６ｍｇ／ｍＬである。いくつかの態様では、本発明の濃縮された組成物は、眼刺激性用量が少なくとも０．５ｍｇ／ｍＬ又は少なくとも０．６ｍｇ／ｍＬである。いくつかの態様では、１部の濃縮された組成物を３部の水によって希釈すると、結果として得られる組成物は、眼刺激性用量が少なくとも０．５ｍｇ／ｍＬ又は少なくとも０．６ｍｇ／ｍＬである。
【００６３】
有機酸
本明細書で開示した多目的洗浄組成物には、少なくとも１種の有機酸が、通常は有機カルボン酸又はポリカルボン酸の形態で含まれる。使用してもよい有機酸の例としては以下のものが挙げられる。乳酸、酢酸、ギ酸、アジピン酸、アスパラギン酸、カルボキシメチルオキシマロン酸、カルボキシメチルオキシコハク酸、クエン酸、グルタル酸、ヒドロキシエチルイミノジ酢酸、イミノ二酢酸、マレイン酸、リンゴ酸、マロン酸、オキシ二酢酸、オキシジコハク酸、コハク酸、スルファミン酸、酒石酸、酒石−ジコハク酸、酒石−モノコハク酸、及びこれらの混合物。いくつかの態様では、有機酸は、乳酸、酢酸、ギ酸、クエン酸、及びこれらの混合物から選択される。いくつかの態様では、有機酸は酢酸である。組成物に含まれる有機酸は、ビルダー、例えば、クエン酸としても機能できるものであってもよい。
【００６４】
有機酸には、低重量酸、例えば、分子量が２１０ｇ／モル未満の酸が含まれていてもよい。いくつかの態様では、多目的洗浄組成物中の各有機酸は、炭素原子が９未満、あるいは炭素原子が６以下、あるいは炭素原子が６未満である。いくつかの態様では、多目的洗浄組成物中の各有機酸は、炭素原子が４未満又は炭素原子が３未満である。炭素原子が３未満の有機酸の具体的な非限定の例としては、ギ酸及び酢酸が挙げられる。
【００６５】
いくつかの態様では、本発明の多目的洗浄組成物には、組成物の重量で約０．５％〜約８％、又は約１％〜約６％、又は約２％〜約４％、又は約２％の有機酸が含まれている。
【００６６】
添加剤
本発明の組成物には、１又は複数のさらなる添加剤が含まれていてもよい。例えば、染料、漂白剤、色相染料、キレート剤、ラジカルスカベンジャー、香料、蛍光性白色化剤、石鹸泡抑制剤、汚れ懸濁ポリマー、汚れ放出ポリマー、移染阻害剤、織物柔軟化添加剤、レオロジー変性剤、構造体、ビルダー、酵素、防腐剤、溶媒、粘土汚れ除去／再付着防止剤、及び／又は他の有益な薬剤である。いくつかの態様では、組成物は実質的に、以下に列記した添加剤の一部又は全部がない。いくつかの態様では、組成物は、約０．０１％〜約５０％の本明細書で列記した添加剤を含む。
【００６７】
染料
本発明の組成物は、染料として、特定の色を組成物自体にもたらす（非織物直接染料）か、又は織物に色相をもたらす（色相染料）のいずれかの染料を含んでいてもよい。一態様では、本発明の組成物は、約０．０００１％〜約０．０１％の非織物直接染料及び／又は色相染料を含んでいてもよい。本明細書で有用な染料の例としては、Ｂａｓｉｃ  Ｖｉｏｌｅｔ  ３（Ｃｌ  ４２５５５）及びＢａｓｉｃ  Ｖｉｏｌｅｔ  ４（Ｃｌ  ４２６００）（どちらも、Ｓｔａｎｄａｒｄ  Ｄｙｅｓ（Ｈｉｇｈ  Ｐｏｉｎｔ、ＮＣ）から販売）、並びにＬｉｑｕｉｔｉｎｔ  Ｖｉｏｌｅｔ  ２００及びＬｉｑｕｉｔｉｎｔ  Ｖｉｏｌｅｔ  Ｂｌｕｅ  ２９７（Ｍｉｌｌｉｋｅｎ  Ｃｏｍｐａｎｙ）が挙げられる。いくつかの態様では、組成物は実質的に色相染料がない。
【００６８】
漂白剤
本発明の組成物には漂白剤が含まれていてもよい。一態様では、本発明の組成物は、組成物の重量で約０．１０％〜約１０％の漂白剤を含んでいてもよい。本明細書で有用な漂白剤としては、過酸化水素又は過酸、例えば、６−フタルイミドペルオキソヘキサン酸が挙げられる。いくつかの態様では、組成物は、漂白活性化剤、例えば、ＴＡＥＤ又はＮＯＢＳを含んでいてもよい。組成物が、少なくとも２つ又は少なくとも３つの仕切りを有する単位用量形態のときには、漂白剤は界面活性剤とは異なる仕切り内にあってもよい。
【００６９】
キレート剤
本発明の組成物はキレート剤を含んでいてもよい。本明細書で有用なキレート剤としては、ＤＴＰＡ、ＨＥＤＰ、ＤＴＰＭＰ、多官能置換芳香族キレート剤、例えば１，２−ジヒドロキシ−３，５−ジスルホベンゼン（タイロン）、ジピコリン酸、及びこれらの混合物が挙げられる。
【００７０】
ラジカルスカベンジャー
本発明の組成物は、安定性を得るために液体過酸化水素とともに用いてもよいラジカルスカベンジャーを含んでいてもよい。本明細書で有用なラジカルスカベンジャーとしては、トリメトキシ安息香酸が挙げられる。
【００７１】
香料
ある界面活性剤、有機酸、又は他の添加剤には、望ましくない臭いがある場合がある。また香料の臭いは清浄度を消費者に示す場合がある。したがって、本発明の組成物は香料を含んでいてもよい。香料は、酸安定性の香料でなければならず、その選択は当業者の技術の範囲内である。組成物には、組成物の重量で約０．１％〜約５％、又は約０．５％〜約４％、又は約１％〜約３％、又は約２％〜約２．５％の香料が含まれていてもよい。
【００７２】
いくつかの態様では、本明細書で開示した組成物には香料送達システムが含まれていてもよい。好適な香料送達システム、特定の香料送達システムの製造方法、及びこのような香料送達システムの使用方法が、ＵＳＰＡ  ２００７／０２７５８６６  Ａ１に開示されている。このような香料送達システムは香料マイクロカプセルであってもよい。香料マイクロカプセルは、香料を含む中心部と外殻とを含んでいてもよい。外殻に中心部が封入されている。外殻には、アミノプラストコポリマー、アクリル、アクリレート、及びこれらの混合物からなる群から選択される材料が含まれていてもよい。アミノプラストコポリマーは、メラミン−ホルムアルデヒド、尿素ホルムアルデヒド、架橋メラミンホルムアルデヒド、又はこれらの混合物であってもよい。香料マイクロカプセルの外殻のコーティングを、１又は複数の材料（例えば、ポリマー）であって、本明細書で開示する組成物を用いて処理される場所上への香料マイクロカプセルの堆積及び／又は保持を助ける材料を用いて行なってもよい。ポリマーは、以下のものからなる群から選択されるカチオン性ポリマーであってもよい。多糖類、カチオン変性デンプン、カチオン変性グアー、ポリシロキサン、ポリジアリルジメチルアンモニウムハライド、ポリジアリルジメチルアンモニウムクロリド及びビニルピロリドンのコポリマー、アクリルアミド、イミダゾール、イミダゾリニウムハライド、イミダゾリウムハライド、ポリビニルアミン、ポリビニルアミン及びＮ−ビニルホルムアミドのコポリマー、及びこれらの混合物。香料マイクロカプセルは、砕けやすくてもよく、及び／又は平均粒径が約１０マイクロメートル〜約５００マイクロメートル又は約２０マイクロメートル〜約２００マイクロメートルであってもよい。いくつかの態様では、組成物には、全組成物重量に基づいて、約０．０１％〜約８０％、又は約０．１％〜約５０％、又は約１．０％〜約２５％、又は約１．０％〜約１０％の香料マイクロカプセルが含まれている。好適なカプセルは、Ａｐｐｌｅｔｏｎ  Ｐａｐｅｒｓ  Ｉｎｃ．（Ａｐｐｌｅｔｏｎ、Ｗｉｓｃｏｎｓｉｎ  ＵＳＡ）から入手してもよい。ホルムアルデヒド捕捉剤は、こうした香料マイクロカプセルの中で用いることも、こうした香料マイクロカプセルと併せて用いることもできる。
【００７３】
蛍光増白剤
本発明の組成物は蛍光増白剤を含んでいてもよい。本明細書で有用な蛍光増白剤には、Ｔｉｎｏｐａｌ  ＣＢＳ−Ｘなど酸環境に適合するものが挙げられる。
【００７４】
石鹸泡抑制剤
本発明の組成物は石鹸泡抑制剤を含んでいてもよい。石鹸泡抑制剤が存在するときには、組成物は、組成物の重量で約０．００１％〜約０．０２％の石鹸泡抑制剤を含んでいる。本明細書で有用な抑制剤の例には、シリカ／シリコーンタイプ、シリコーンオイル、分枝アルコール、及びこれらの混合物が挙げられる。
【００７５】
汚れ懸濁ポリマー
本発明の組成物は汚れ懸濁ポリマーを含んでいてもよい。汚れ懸濁ポリマーとしては、限定することなく、ＰＥＩエトキシレート、ＨＭＤＡダイクォットエトキシレート、スルホン化誘導体、及び疎水的に改質された陰イオン性コポリマーが挙げられる。いくつかの態様では、組成物は、組成物の重量で約０．００１％〜約０．５％の汚れ懸濁ポリマーを含んでいる。
【００７６】
汚れ放出ポリマー
本発明の組成物は汚れ放出ポリマーを含んでいてもよい。汚れ放出ポリマーとしては、限定することなく、ＰＥＴアルコキシレートの短いブロックコポリマー、陰イオン性の誘導体、又はこれらの混合物が挙げられる。いくつかの態様では、組成物は、組成物の重量で約０．００１％〜約０．５％の汚れ放出ポリマーを含んでいる。
【００７７】
移染阻害剤
本発明の組成物は、移染阻害剤及び／又は染料固着剤を含んでいてもよい。本明細書で有用な移染阻害剤の例には、ポリビニルピロリドン、ポリ−４−ビニルピリジン−Ｎ−酸化物、Ｎ−ビニル−２−ピロリドン、及びＮ−ビニルイミダゾールのコポリマー、並びにこれらの混合物が挙げられる。本願に有用な染料固着剤は、米国特許第６，７５３，３０７号に開示されている。
【００７８】
織物柔軟化添加剤
いくつかの態様では、本発明の組成物は、織物柔軟化添加剤を含んでいてもよい。本明細書で有用な織物柔軟化添加剤の例には、アルキル四級アンモニウム化合物、エステル四級アンモニウム化合物、シリコーン、カチオン性シリコーン、及びこれらの混合物が挙げられる。
【００７９】
レオロジー変性剤
いくつかの態様では、本発明の組成物はレオロジー変性剤を含んでいてもよい。有用なレオロジー変性剤としては、メチルセルロース、ヒドロキシプロピルメチルセルロース、キサンタンガム、ジェランガム、グアーガム、及びヒドロキシプロピル糖グアーガム、サクシノグリカン、及びトリヒドロキシステアリンが挙げられる。さらに好適なレオロジー変性剤としては、メチルセルロース及びヒドロキシプロピルメチルセルロースフタレート増粘剤（Ｍｅｔｈｏｃｅｌ（登録商標）という商品名でＤｏｗ  Ｃｈｅｍｉｃａｌより、またＡｌｃｏｇｕｍ  Ｌ５２０としてＡｋｚｏ  Ｎｏｂｅｌより販売）が挙げられる。いくつかの態様では、本発明の洗浄組成物には、洗浄組成物の重量で約０．０１％〜約１％、又は約０．０２％〜約０．７５％、又は約０．０５％〜約０．５％のレオロジー変性剤が含まれる。
【００８０】
いくつかの態様では、本発明の組成物は実質的にレオロジー変性剤がない。本明細書で用いる場合、界面活性剤を「レオロジー変性剤」と理解してはならない。いくつかの態様では、組成物は、組成物の重量で０．０１未満％のレオロジー変性剤を含んでいる。
【００８１】
構造体
本発明の組成物は概ね、外部構造化ではなくて内部構造化に依拠する。「内部構造化」の意味は、構造化効果を得るために洗剤界面活性剤に依拠するということである。ここで、前述したように、驚くべきことに以下のことが見出されている。望ましい粘度を有し、容易に希釈可能な濃縮された多目的洗浄組成物を得ることが、ある界面活性剤を、低ｐＨ系において特定の濃度及び互いに対する特定の比率で選択することによってなされる場合がある。反対の意味で、「外部構造化」が意味するのは、所望のレオロジー及び粒子浮遊力を実現するために、非界面活性剤、例えば、構造体としての結晶化グリセリド（例えば、限定することなく、硬化ヒマシ油）に依拠する構造化である。
【００８２】
いくつかの態様では、本発明の組成物は実質的に外部構造化システムがない。いくつかの態様では、組成物は実質的にヒドロキシ官能性結晶材料（例えば、限定することなく硬化ヒマシ油）がない。いくつかの態様では、組成物には、組成物の重量で０．０１未満％、又は０．００１未満％のヒドロキシ官能性結晶材料又は硬化ヒマシ油が含まれる。さらなる構造化が望ましいときには、組成物は、組成物の重量で約０．０１％〜約６％のヒドロキシ官能性結晶材料を含んでいてもよい。
【００８３】
酵素
いくつかの態様では、本発明の組成物は実質的に酵素がない。酵素は知られた増感剤であり、そのため洗濯物上で用いるだけでなく毛髪及び皮膚上で用いることに適した多目的洗浄生成物内では不都合な場合がある。そのため、界面活性剤及び有機酸のタイプ及びレベルを正しく選ぶことが、酵素がない状態での良好な洗浄及び優しい使用条件の両方を得るために重要である。いくつかの態様では、組成物は、低ｐＨ環境において安定かつ効果的な約０．００００１％〜約０．０１％の活性酵素を含んでいる。
【００８４】
ビルダー
組成物は、典型的には、低レベルのビルダーを含んでいる。いくつかの態様では、組成物は実質的にビルダーがない。ただし少なくとも１種の有機酸がこのような方法で機能し得る場合は除く。洗浄組成物を抑えると、概ね、コスト節約とエコロジー維持の両方に対して好都合な場合がある。これは、例えば、さらなる水質汚染及び植物に対する損傷（組成物が地面上に又は給水内に直接廃棄される場合がある）を最小限にすることによって行なわれる。また洗浄組成物を抑えることは、皮膚及び毛髪にとってより優しいことが考えられる。なぜならば、特に、攻撃的な塩及び結晶性研磨材がないからである。
【００８５】
防腐剤
本発明の組成物は、防腐剤を含んでいてもよい。好適な防腐剤は、当業者が選んでもよく、Ｐｒｏｘｅｌ（商標）（Ａｒｃｈ  Ｃｈｅｍｉｃａｌｓ／Ｌｏｎｚａから販売）を含んでいてもよい。存在する場合、防腐剤の存在量は、組成物の重量で約０．０１％〜約２．０％、又は約０．１％〜約１．０％、又は約０．１％〜約０．３％である。いくつかの態様では、組成物は０．０１未満％の防腐剤を含んでいる。いくつかの態様では、組成物は実質的に防腐剤がない。
【００８６】
溶媒
いくつかの態様では、組成物は、水を含み、実質的に有機溶媒がない。しかし、いくつかの態様では、有機溶媒は、組成物の成分の可溶化を助けるのに好ましい場合があり、特に組成物が水溶性フィルム又はパウチに封入されている場合がそうである。そのため、いくつかの態様では、組成物は有機溶媒を含んでいてもよい。いくつかの態様では、有機溶媒は、１，２−プロパンジオール、エタノール、グリセロール、ジプロピレングリコール、メチルプロパンジオール、及びこれらの混合物から選択される。他の低級アルコール、例えば、Ｃ１〜Ｃ４アルカノールアミン、例えば、モノエタノールアミン及び／又はトリエタノールアミンを用いることもできる。いくつかの態様では、組成物は、組成物の重量で約０．１％〜約７０％、又は約１％〜約５０％、又は約５％〜約２５％の有機溶媒を含んでいる。
【００８７】
粘土汚れ除去／再付着防止剤
いくつかの態様では、組成物は実質的に粘土汚れ除去／再付着防止剤がない。しかし、いくつかの態様では、このような薬剤を用いて洗浄組成物の洗浄効果を改善してもよく、特に、組成物を用いる洗浄水が汚染されているか又は再使用であることが予想される場合にそうである。したがって、いくつかの態様では、本発明の組成物は任意的に、水溶性エトキシル化アミン（粘土汚れ除去及び再付着防止特性を有する）を含むこともできる。いくつかの態様では、濃縮された組成物は、重量で約０．００５％〜約５％の水溶性エトキシル化アミンを含む。典型的な粘土汚れ除去及び再付着防止剤は、米国特許第４，５９７，８９８号；第５４８，７４４号；第４，８９１，１６０号；欧州特許出願第１１１，９６５号；第１１１，９８４号；第１１２，５９２号；及びＷＯ  ９５／３２２７２に記載されている。
【００８８】
組成物ｐＨ
本発明の濃縮された組成物は低ｐＨ組成物である。言い換えれば、濃縮された組成物は酸性であり、すなわち無希釈ｐＨが７未満である。特に明記しない限り、組成物のｐＨは無希釈で測定する。
【００８９】
無希釈ｐＨ
濃縮された洗浄組成物（無希釈で測定）のｐＨは７未満である。一部の態様では、洗浄組成物のｐＨ（無希釈で測定）は、約２〜約６．９、又は約２〜約６．５、又は約２〜６、又は約３〜約５、又は約４〜約５、又は約４．４である。いくつかの態様では、組成物には、アルカリ化剤が、組成物の望ましい最終ｐＨを得るのに適した量で含まれている。いくつかの態様では、アルカリ化剤は、アルカリ金属又はアルカリ土類金属の水酸化物、例えば、水酸化ナトリウム、又はアルカノールアミン、例えば、メタノールアミン（ＭＥＡ）である。
【００９０】
洗浄水中のｐＨ
いくつかの態様では、本発明の洗浄組成物は、洗浄組成物を洗浄水（例えば、標準的な洗濯バケツの洗浄水）に加えたときに、洗浄水をｐＨ（「洗浄水ｐＨ」）として７未満、又は約６．５未満、又は約６．２未満、又は約６．０未満にすることができる。実際面では、本発明の洗浄組成物は、洗浄水の重量で約０．０２％〜約４％の洗浄組成物が十分な量で洗浄水に加えられる。一態様では、洗浄水には、洗浄水の重量で約０．０３％〜約３％の洗浄組成物が、あるいは約０．０４％〜約２％（約４００〜約２００００ｐｐｍ）が含まれる。いくつかの態様では、組成物を水を用いて最大で７００倍に希釈して洗浄液を形成してもよい。このような態様では、洗浄液のｐＨは約４〜約７未満、又は約４．５〜約６．９、又は５〜約６．５、又は約６である。
【００９１】
粘度
特に反対の記載がない限り、記載するすべての粘度の測定は、せん断速度が１ｓ−１及び温度が２５．０℃で行なう。粘度の測定は、任意の好適な粘度測定機器（例えば、ＡＲ２０００粘度計（ＴＡ  Ｉｎｓｔｒｕｍｅｎｔｓ、Ｎｅｗ  Ｃａｓｔｌｅ、Ｄｅｌａｗａｒｅ））によって、アクリル製の６０ｍｍ、２°のフラット・コーンを用いて、せん断速度が１ｓ−１で行なうことができる。
【００９２】
無希釈の形態では、本発明の濃縮された洗浄組成物は、粘度が約５００ｍＰａ＊ｓ（ミリパスカル秒）〜約１３，０００ｍＰａ＊ｓ（１ｓ−１において）の範囲であってもよい。いくつかの態様では、組成物は、粘度が約７５０ｍＰａ＊ｓ〜約７，５００ｍＰａ＊ｓ、又は約１０００ｍＰａ＊ｓ〜約５，１００ｍＰａ＊ｓ、又は約３０００ｍＰａ＊ｓ〜約４０００ｍＰａ＊ｓ（１ｓ−１において）の範囲である。いくつかの態様では、１０ｓ−１において、洗浄組成物は、粘度が約２００ｍＰａ＊ｓ〜約１５００ｍＰａ＊ｓ、又は約２５０ｍＰａ＊ｓ〜約１３００ｍＰａ＊ｓ、又は約３００〜約８２５ｍＰａ＊ｓの範囲である。本発明の濃縮された洗浄組成物は、ゲル、注ぐことができるゲル、注ぐことができないゲル、又は強力液体の形態であってもよい。
【００９３】
希釈された組成物
本開示の濃縮された組成物を水又は別の好適な液体を用いて希釈して、希釈された組成物を形成してもよい。組成物の希釈は、製造業者が出荷前若しくは出荷後に行なってもよいし、供給業者が販売若しくは使用前に行なってもよいし、又は消費者若しくは商社が使用前若しくは使用中に行なってもよい。
【００９４】
いくつかの態様では、希釈された組成物の形成を、１部（重量又は体積で）の組成物を、最大で約２、又は最大で約３、又は最大で約４、又は最大で約５、又は最大で約１０、又はそれ以上の部（重量又は体積で）の水又は別の好適な液体を用いて希釈することによって行なってもよい。いくつかの態様では、希釈された組成物を、１部の濃縮された組成物を約１〜約６又は約２〜約４部の水又は別の好適な液体を用いて希釈することによって形成してもよい。いくつかの態様では、濃縮された組成物を水を用いて希釈する。
【００９５】
希釈された組成物は、粘度の範囲が約２５ｍＰａ＊ｓ〜約１３，０００ｍＰａ＊ｓ（１ｓ−１において）であってもよい。いくつかの態様では、希釈された組成物は、粘度が約７５０ｍＰａ＊ｓ〜約７，５００ｍＰａ＊ｓ、又は約１０００ｍＰａ＊ｓ〜約５１００ｍＰａ＊ｓ、又は約３０００ｍＰａ＊ｓ〜約４０００ｍＰａ＊ｓの範囲（１ｓ−１において）である。いくつかの態様では、濃縮された組成物の粘度と希釈された組成物の粘度との間の差は、約５０００ｍＰａ＊ｓ以下、又は約３０００ｍＰａ＊ｓ以下、又は約１０００ｍＰａ＊ｓ以下、又は約５００ｍＰａ＊ｓ以下、又は約１００ｍＰａ＊ｓ以下（１ｓ−１において）である。
【００９６】
いくつかの態様では、希釈された組成物のｐＨ（無希釈で測定）は約２〜約６．９、又は約２〜約６．５、又は２〜約６、又は約３〜約５である。
【００９７】
相安定
いくつかの態様では、本発明の濃縮された組成物は相安定である。この判定は、以下に説明する試験方法によって行なう。
【００９８】
使用方法
本開示によって、表面（例えば、織物、毛髪、皮膚、硬表面、又は他の表面）を、本明細書で開示した組成物を用いて処理する方法が提供される。いくつかの態様では、本方法には、任意的に表面を洗浄及び／又は洗い流す工程、表面を本開示の組成物と接触させる工程、そして任意的に表面を洗浄及び／又は洗い流す工程が含まれる。表面の処理を開示した組成物を用いて行なった後に、表面を任意的に乾燥させてもよい。表面を組成物に無希釈形態で又は希釈形態で接触させる。いくつかの態様では、組成物を洗浄水と混合してもよい。表面を処理する方法は、手作業で行なってもよいし（例えば、手で洗うか又は浴をすることによって）、又は自動化された方法で行なってもよい（例えば、機械、例えば、食器洗い機又は洗濯機によって）。
【００９９】
いくつかの態様では、本方法は、表面を洗浄組成物と接触させる工程と、表面を洗浄する工程と、を含んでいる。いくつかの態様では、表面は、織物、毛髪、皮膚、又は硬表面から選択する。いくつかの態様では、本方法はさらに、組成物を希釈する工程を含む。いくつかの態様では、組成物の希釈を、表面と接触させる前に行なうか、又はあるいは、組成物が表面と接触している間に行なう。
【実施例】
【０１００】
下表１に示すのは、本開示による組成物のいくつかの非限定の実施例である。実施例の調製は以下のように行なう。
【０１０１】
脱イオン水（Ｃｒｙｓｔａｌ  Ｓｐｒｉｎｇｓ、Ｓａｎｔａ  Ｃｒｕｚ、Ｃａｌｉｆｏｒｎｉａ）を、ＲＷ２０  Ｄｉｇｉｔａｌ  Ｏｖｅｒｈｅａｄ  Ｓｔｉｒｒｅｒ（ＩＫＡＷｏｒｋｓ（ＶＷＲ、Ｒａｄｎｏｒ、Ｐｅｎｎｓｙｌｖａｎｉａ）より）の真下の反応槽に加える。酢酸（ＢＤＨ  Ａｒｉｓｔａｒ（ＶＷＲ、Ｒａｄｎｏｒ、Ｐｅｎｎｓｙｌｖａｎｉａ）より）、ギ酸（Ｈａｒｒｉｓ  ＆  Ｆｏｒｄ、ＬＬＣ、Ｉｎｄｉａｎａｐｏｌｉｓ、Ｉｎｄｉａｎａ）、ＨＬＡＳ（Ｓｔｅｐａｎ、Ｎｏｒｔｈｆｉｅｌｄ、Ｉｌｌｉｎｏｉｓ）、及びＮＩ２４−９（Ｈｕｎｔｓｍａｎ  Ｃｏｒｐ、Ｓａｌｔ  Ｌａｋｅ  Ｃｉｔｙ、Ｕｔａｈ）を次に、反応槽に連続的に添加する。水酸化ナトリウム（Ｆｏｒｍｏｓａ  Ｐｌａｓｔｉｃｓ  ＣｏｒｐＰｏｉｎｔ  Ｃｏｍｆｏｒｔ、Ｔｅｘａｓ）を次に添加して、溶液のｐＨを約４．４にする。香料を添加し、残りの脱イオン水を添加して１００％にバランスさせる。
【０１０２】
ｐＨの測定
組成物のｐＨの測定を、ｓｙｍｐＨｏｎｙ  ＳＰ７０ＰのｐＨメータ（ＶＷＲ、Ｒａｄｎｏｒ、Ｐｅｎｎｓｙｌｖａｎｉａ）を用いて行なう。ｐＨメータの較正を、ＶＷＲ  ｓｙｍｐＨｏｎｙ  Ｍｅｔｅｒ  Ｕｓｅｒ  Ｇｕｉｄｅに従って、較正溶液としてｐＨ＝４、７、及び１０をそれぞれ用いて行なう。いったんｐＨメータを較正したら、プローブを脱イオン水を用いて洗い流して、無希釈（不希釈）の液体中に入れて、値を記録する。
【０１０３】
粘度の測定
粘度測定は、ＡＲ２０００レオメーター／粘度計（ＴＡ  Ｉｎｓｔｒｕｍｅｎｔｓ、Ｎｅｗ  Ｃａｓｔｌｅ、Ｄｅｌａｗａｒｅ）及びアクリル製の６０ｍｍの直径、２°のフラット・コーン（せん断速度モードを制御した状態で動作）を用いて、ＴＡ  Ｒｈｅｏｌｏｇｙ  Ａｄｖａｎｔａｇｅソフトウェア（バージョンＶ５．７．０）を用いて行なう。組成物を混合して、均質性を増加させて空気気泡を減らしてもよい。組成物内に粒子が存在し、その直径＞プレートとコーン間の間隙の１０％（すなわち＞６０μｍ）である場合には、これらの粒子をサンプルから除くか又は取り去ることを、粘度を測定する前に行なわなければならない。粘度計を機器用の操作マニュアルに従ってゼロにする。コーンをアップ位置まで上げる。いったんアクリル製コーンを伴う最上部の形状が下がっていて、生成物組成物の少なくとも１ｍｍがコーンの全周囲の周りでわずかに押圧されたら、一様な被覆率を確実にする十分な量の組成物を、固定された形状（底板）の中心又は中心付近にピペットを用いて移す。いったん生成物を固定された形状に移したら、アクリル製コーンを伴う最上部の形状をダウン位置まで下げる。プレート間の間隙（圧縮距離）を６００μｍに設定し、圧縮速度を１，０００μｍ／ｓに設定する。間隙ゼロ・モードを値１．０Ｎの垂直力モードに設定し、サンプル圧縮を値１．０Ｎの線形モードに設定する。種々雑多な間隙設定としては、微細な速度設定（１，０００μｍ／ｓ）及び粗い速度設定（３，０００μｍ／ｓ）が挙げられる。次に６０ｓの時間を経過させて、組成物を２５．０℃まで到達させ、この温度で平衡させる。いったん組成物が平衡に達したら、コーンを回転させることを始めて、測定を２５．０℃及びせん断速度１ｓ−１において行なう。１５ｓで取った測定値を記録する。データ収集を２５．０℃及び１０ｓ−１においても行なうことを、他のすべての条件を変えないで行なう。上述したことは、ＡＳＴＭ  Ｄ７３９５−０７をモデルとしている。
【０１０４】
安定性の測定
組成物を試験して安定性／相分離を調べるために、組成物を複数の１０ｍＬガラス瓶内に充填して、少なくとも１つの充填及び密封されたガラス瓶を保管用に置くことを、３つの特定温度、すなわち、１０℃、２５℃、及び４０℃のそれぞれに対して、７日間行なう。７日間、特定の温度に置いた後に、各ガラス瓶内の組成物を視覚的に検査して相分離を調べる。組成物は、以下の場合に、特定の温度において相安定であると判定される。すなわち、７日間後に、（ｉ）組成物が、２つ以上の層に分かれることがない状態を保っているか、又は（ｉｉ）層に分かれるが、主要な層が、重量で組成物の少なくとも９０％又は少なくとも９５％を含んでいる場合である。
【０１０５】
希釈容易性の測定
肉眼で見たときに組成物中に粒子が見える場合には、粒子を除くか又は取り去ることを、組成物の希釈容易性を測定する前に行なう。５ｇの組成物を５０ｍＬのＢｅｃｔｏｎ  Ｄｉｃｋｉｎｓｏｎ  Ｆａｌｃｏｎ  Ｃｏｎｉｃａｌ遠心分離管（ＶＷＲ、Ｒａｄｎｏｒ、Ｐｅｎｎｓｙｌｖａｎｉａ）内に入れ、続いて、１５ｇの２１℃±１℃脱イオン水（Ｃｒｙｓｔａｌ  Ｓｐｒｉｎｇｓ、Ｓａｎｔａ  Ｃｒｕｚ、Ｃａｌｉｆｏｒｎｉａ）を入れる。遠心分離管に蓋をし、ゆっくりと反転させることを複数回行なって、優しく混合する。管を反転させることを、往復運動で１８０度、５０回、又は連続運動で３６０度、２５回行なうことを、すべての反転が１．５〜３．０分の時間範囲で完了するように行なう。これらの反転では、重力の力のみを用いて混合を行なっている。また反転は、管を、クリップ・バー型の振とう器／回転機、例えば、Ｌａｂｑｕａｋｅ  Ｔｕｂｅモデル４００３１１０Ｑ（Ｔｈｅｒｍｏ  Ｓｃｉｅｎｔｉｆｉｃ、Ｗａｌｔｈａｍ、Ｍａｓｓａｃｈｕｓｅｔｔｓ）上に取り付けることによって行なうか、又は手動で、優しい手首と腕の動きを用いて同様の優しい１８０度相互反転をさせることによって行なう。反転を手動で行なう場合、さらなる力、撹拌、又は推進力が、単純な反転中に重力によって生じるものを超えて印加されることがないように確実にすることが重要である。すべての反転が完了した直後に、配合物の外観を視覚的に観察することを距離３０ｃｍで行なって、均質性を評価する。希釈された組成物が、反転の終わりに均質であるように見えるならば、「合格」であると考えられるが、未溶解物（例えば、浮遊粒子又は配合残留物など）を含むように見えるならば、「不合格」であると考えられる。観察中にわずかに撹拌することを用いて、残りの組成物又は他の未溶解物を視覚的に検出することを助ける。
【０１０６】
【表１】
2016521774.tif 000006
【０１０７】
【表２】
2016521774.tif 000007
【０１０８】
本明細書で開示した寸法及び値は、列挙された正確な数値に厳密に限定されると理解してはならない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図されている。
【０１０９】
本明細書で引用したあらゆる文献（例えば、任意の相互参照又は関連の特許又は出願）は、明示的に除外そうでなければ限定されている場合を除いて、本明細書において参照によりその全体において取り入れられている。任意の文献を引用することは、本明細書で開示又は請求された任意の発明に対する従来技術であること、又は単独で若しくは任意の他の参考文献との任意の組み合わせで任意のこのような発明を教示、提案、又は開示することを、認めることではない。さらに、この文献における用語のいずれかの意味又は定義が、参照により取り入れられた文献における同じ用語のいずれかの意味又は定義と相容れない場合は、この文献においてその用語に割り当てられた意味又は定義に従うものとする。
【０１１０】
本発明の特定の態様について例示及び説明してきたが、当業者には明らかなように、他の種々の変形及び変更を、本発明の趣旨及び範囲から逸脱することなく施すことができる。したがって、添付の請求項において、本発明の範囲内であるこのような変形及び変更をすべてカバーすることが意図されている。
【国際調査報告】
2016521774.tif 000008
2016521774.tif 000009
2016521774.tif 000010
2016521774.tif 000011